(57)【要約】【課題】キーに要求される機械的な強度を小さいものにすると共に、タンブラププレートを増やしてもプランジャ部材の長さが長くなるのを抑制することができる錠装置を得る。【解決手段】プランジャ部材４２に正規キーを挿入し、この正規キーを押すだけで、ロック対象物のロック状態を解除することができる。また、プランジャ部材４２が押し込まれた状態でキーを抜き取って、タンブラププレート６６、６８が初期位置に復帰しても凸部６６Ａ、６８Ａが最初に係合していた凹部６２以外の凹部６２と係合してプランジャ部材４２の移動を阻害しないため、プランジャ部材４２のストロークよりも、タンブラププレート６６、６８の取付ピッチを長くしなければならない。しかし、凸部６６Ａ、６８Ａと凹部６２の係合位置４６をキーの厚さ方向に千鳥状にすることで、タンブラプレート６６，６８を増やしてもプランジャ部材４２の長さが長くなるのを抑制することができる。【選択図】図４
2008248615.tif 000002
【特許請求の範囲】
【請求項１】
ロック対象物に取付けられたケース部材と、
前記ケース部材の内部に軸方向に沿って移動可能に収納されたスリーブ部材と、
前記スリーブ部材の内部に軸方向へ移動可能に収納されたプランジャ部材と、
前記プランジャ部材の内部に軸方向へ所定の間隔で配置され、軸方向と直交する方向へ移動可能に設けられたタンブラ部材と、
前記スリーブ部材の内壁に設けられた凹部と、
前記タンブラ部材に形成され、前記凹部と係合して前記スリーブ部材と前記プランジャ部材を一体に軸方向へ移動させる凸部と、
前記凸部が前記凹部と係合する方向へ前記タンブラ部材を付勢する付勢手段と、
前記タンブラ部材に形成され、前記プランジャ部材の内部へ挿入される正規キーに形成された凹凸部と係合し、前記凸部と前記凹部との係合状態を解除する方向へ前記タンブラ部材を移動させると共に、非正規キーの挿入も許容するキー挿入孔と、
前記プランジャ部材に設けられ、前記ブランジャ部材の内部に挿入される正規キー及び非正規キーの先端部に押されて前記プランジャ部材を軸方向に移動させる当壁と、
前記スリーブ部材と前記プランジャ部材に回動可能に連結され、前記プランジャ部材だけが移動したとき回動して前記ロック対象物のロック状態を解除する操作部材と、
を有する錠装置において、
隣り合う前記タンブラ部材に設けられた前記凸部と前記凹部とが係合する係合位置が、前記キーの厚さ方向にずれて配置されることを特徴とする錠装置。
【請求項２】
前記係合位置が、前記キーの厚さ方向に３つあることを特徴とする請求項１記載の錠装置。
【請求項３】
前記係合位置が、前記キーの厚さ方向に千鳥状に配置されることを特徴とする請求項１記載の錠装置。
【発明の詳細な説明】
【技術分野】
【０００１】
本発明は、キー挿入穴へ挿入されたキーの操作によりロック装置等をロック、又は解除する錠装置に関する。
【背景技術】
【０００２】
自動車のドア等に設けられる錠装置は、例えば、筒状のケース部材と、ケース部材の内部に回転可能に設けられたスリーブ部材と、スリーブ部材の内部に回転可能に設けられたプランジャ部材と、プランジャ部材と軸方向において対向するようにして回転可能に設けられたリアロータと、リアロータと一体回転するように設けられたロックレバーとを備えている（特許文献１）。
【０００３】
この錠装置では、正規キーをキー穴に挿入すると、タンブラ部材がプランジャ部材とスリーブ部材の係合状態を解除して、プランジャ部材だけが回転可能となり、プランジャ部材がリアロータを回転させることができるようになっている。これにより、リアロータと共にロックレバーが回転し、ロックレバーの操作力により車両のドア等のロック装置が解錠されるようになっている。
【０００４】
また、正規キーと形状の違うキーやドライバ等のキーの代替物（以下、これらを包括して「非正規キー」という。）をプランジャ部材のキー穴に挿入して強制的に回転させると、タンブラ部材がプランジャ部材とスリーブ部材の係合状態を維持して、プランジャ部材とスリーブ部材が一体となって回転するため、プランジャ部材がリアロータを回転させることができないようになっている。
【０００５】
つまり、プランジャ部材に差し込まれた非正規キーを回転させても、プランジャ部材とスリーブ部材は一体となって回転するが、リアロータ及びロックレバーを回転させることができず、ロック装置が解錠されない構成となっている。
【０００６】
すなわち、特許文献１記載の錠装置では、正規キーをキー穴に挿入し、プランジャ部材を回転させれば、ロック装置を解錠できるが、非正規キーをキー穴へ挿入し、この非正規キーを強制的に回転させても、プランジャ部材とスリーブ部材が一緒に回転するため、ロック装置が解錠されない。さらに、プランジャ部材とスリーブ部材が一緒に回転するため、プランジャ部材とスリーブ部材を係合しているタンブラ部材に無理な力が作用しないので、タンブラ部材等の破損が防止される構造となっている。
【特許文献１】特開平８−４３８７号公報
【発明の開示】
【発明が解決しようとする課題】
【０００７】
しかしながら、解錠時には板状のキーを錠装置のキー穴に挿入して、プランジャ部材、リアロータ、ロックレバーの回転抵抗、及びロック装置の作動抵抗等に対抗して回転させなければならない。
【０００８】
このため、この錠装置に用いられるキーについては、その材質が鉄、ステンレス等の高強度のものに限定されることに加え、伝達トルクの大きさに応じてキーの肉厚を十分に厚いものにする必要がある。
【０００９】
また、この錠装置では、プランジャ部材に配置される複数個の板状のタンブラ部材が軸方向に所定の間隔で、かつ、軸直交方向に移動可能に設けられている。キーをキー穴に挿入するとキーの凹凸部とタンブラ部材のキー挿入孔が当接し、正規キーの場合は全てのタンブラ部材が正規位置に移動してプランジャ部材だけが回転するようなっており、非正規キーの場合は少なくとも１個のタンブラ部材が非正規位置に移動してプランジャ部材とスリーブ部材が一体となって回転し、リアロータを回転させられないようになっている。
【００１０】
一方、キーの種類を多様化するためには、このタンブラ部材の個数を増やす必要があり、プランジャ部材に所定の間隔で設けられたタンブラ部材の個数を増やすとプランジャ部材の軸方向の長さを長くしなければならないという問題もある。
【００１１】
本発明の目的は、上記事実を考慮して、キーに要求される機械的な強度を小さいものにすると共に、タンブラ部材を増やしてもプランジャ部材の長さが長くなるのを抑制することができる錠装置を提供するが課題である。
【課題を解決するための手段】
【００１２】
本発明の請求項１に係る錠装置は、ロック対象物に取付けられたケース部材と、前記ケース部材の内部に軸方向に沿って移動可能に収納されたスリーブ部材と、前記スリーブ部材の内部に軸方向へ移動可能に収納されたプランジャ部材と、前記プランジャ部材の内部に軸方向へ所定の間隔で配置され、軸方向と直交する方向へ移動可能に設けられたタンブラ部材と、前記スリーブ部材の内壁に設けられた凹部と、前記タンブラ部材に形成され、前記凹部と係合して前記スリーブ部材と前記プランジャ部材を一体に軸方向へ移動させる凸部と、前記凸部が前記凹部と係合する方向へ前記タンブラ部材を付勢する付勢手段と、前記タンブラ部材に形成され、前記プランジャ部材の内部へ挿入される正規キーに形成された凹凸部と係合し、前記凸部と前記凹部との係合状態を解除する方向へ前記タンブラ部材を移動させると共に、非正規キーの挿入も許容するキー挿入孔と、前記プランジャ部材に設けられ、前記ブランジャ部材の内部に挿入される正規キー及び非正規キーの先端部に押されて前記プランジャ部材を軸方向に移動させる当壁と、前記スリーブ部材と前記プランジャ部材に回動可能に連結され、前記プランジャ部材だけが移動したとき回動して前記ロック対象物のロック状態を解除する操作部材と、を有する錠装置において、隣り合う前記タンブラ部材に設けられた前記凸部と前記凹部とが係合する係合位置が、前記キーの厚さ方向にずれて配置されることを特徴とする。
【００１３】
上記構成によれば、非正規キーをプランジャ内部に挿入すると、タンブラ部材に形成された凸部とスリーブ部材に形成された凹部の係合状態が維持され、非正規キーの先端部でプランジャ部材の当壁を押しても、スリーブ部材とプランジャ部材が一体となってケース部材の内部を軸方向に移動する。このため、操作部材はロック対象物のロック状態を維持する。
【００１４】
一方、正規キーをプランジャ部材に挿入すると、正規キーに形成された凹凸部とタンブラ部材に設けられたキー挿入孔が係合する。これにより、凹部に凸部が係合するようにタンブラ部材を付勢する付勢手段の付勢力に対抗して、タンブラ部材は、凸部と凹部との係合状態を解除する方向へ移動する。
【００１５】
さらに、正規キーの先端部でプランジャ部材の当壁を押すとプランジャ部材だけがスリーブ部材の内部を移動する。このように、プランジャ部材だけが移動することで、操作部材がロック対象物のロック状態を解除する。
【００１６】
従って、ユーザーがプランジャ部材に正規キーを挿入し、この正規キーを押すだけで、ロック対象物のロック状態を解除することができる。このため、キーをプランジャへ挿入した後、キーを回転させることによりロック装置の操作が行われる回転式の錠装置と比較して、キーに回転方向の力を負荷する必要がなく、キーに要求される捩り方向に沿った機械的な強度を小さくすることができる。
【００１７】
一方、ロック対象物のロック状態を解除した後、正規キーをプランジャ部材から抜き取ろうとすると、正規キーに形成された凹凸部とタンブラ部材に設けられたキー挿入孔の係合状態が維持され、正規キーの抜き取り動作と一体となってプランジャ部材は移動して元の位置に復帰する。
【００１８】
この時、タンブラ部材の凸部が最初に係合していた凹部以外の凹部と係合してプランジャ部材の移動を阻害しないため、プランジャ部材の移動距離（ストローク）よりも、タンブラ部材の取付ピッチを長くしなければならない。つまり、キーの種類を多様化するためタンブラ部材を増やすとプランジャ部材の長さが長くなってしまう。
【００１９】
しかし、本発明は凸部と凹部が係合する係合位置がキーの厚さ方向にずれて配置され、同一軸線上のピッチが長くなっている。このため、プランジャ部材を押している間に、正規キーをプランジャ部材から抜き取ってタンブラ部材が付勢手段の付勢力で初期位置に復帰しても凸部が最初に係合していた凹部以外の凹部と係合しない構成となっている。つまり、タンブラ部材を増やしてもプランジャ部材の長さが長くなるのを抑制することができる。
【００２０】
本発明の請求項２に係る錠装置は、請求項１記載において、前記係合位置が、前記キーの厚さ方向に３つあることを特徴とする。
【００２１】
上記構成によれば、係合位置が、キーの厚さ方向に３つあるため、凸部がずれたタンブラ部材を３つ作成することで、タンブラ部材を増やしてもプランジャ部材の長さが長くなるのを抑制することができる。
【００２２】
本発明の請求項３に係る錠装置は、請求項１記載において、前記係合位置が、前記キーの厚さ方向に千鳥状に配置されることを特徴とする。
【００２３】
上記構成によれば、係合位置が、キーの厚さ方向に千鳥状に配置されているため、タンブラ部材を表裏反転させて使用することができ、タンブラ部材の種類を削減することができる。
【発明の効果】
【００２４】
本発明の錠装置によれば、キーに要求される機械的な強度を小さいものにすると共に、タンブラ部材を増やしてもプランジャ部材の長さが長くなるのを抑制することができる。
【発明を実施するための最良の形態】
【００２５】
本発明の第１実施形態に係る錠装置１０について、図１から図８に従って説明する。
【００２６】
図１（Ａ）に示される本発明の錠装置１０は、自動車におけるドア、トランクリッド、グローブボックスの蓋体等（ロック対象物）の開閉部材を施錠状態又は解錠状態とするためのロック機構の一部として設けられており、ユーザーがキー１２によりロック装置（図示省略）を施錠状態から解錠状態へ操作するために用いられる。
【００２７】
錠装置１０には、装置の外殻部として角筒状のケース部材１４が設けられている。このケース部材１４は軸方向（図中Ｓ線方向）へ細長く形成され、図４に示されるように周壁部の軸直角方向に沿った断面形状が高さ方向（矢印Ｈ方向）を長手とする略長方形とされている。また、図１（Ａ）に示すケース部材１４には、軸方向に沿った先端側（図１（Ａ）で左側）の開口を閉じるように蓋部１６が形成されている。蓋部１６には、中央部にキー１２が挿通可能とされた矩形状の開口部１８が形成されている。さらに、ケース部材１４には、その後端部における下端側に軸方向に沿って延出するプレート状のレバーガイド２０が一体的に形成されている。
【００２８】
この錠装置１０のケース部材１４は、ロック装置が収納されたドア等の内部等に配置され、ケース部材１４は、開口部１８がドア等の内部から外部へ面するように固定されている。
【００２９】
さらに、錠装置１０は、ケース部材１４の内部に配置される角筒状のスリーブ部材２２を備えている。スリーブ部材２２は、軸方向へ細長く形成され、周壁部の軸直角方向に沿った断面形状が高さ方向を長手とする略長方形とされている。このスリーブ部材２２は、ケース部材１４の内部に挿入されており、図１（Ａ）に示す待機位置と図３に示す作動位置との間をケース部材１４によって移動可能に支持されている。
【００３０】
また、スリーブ部材２２は、図１（Ａ）に示す待機位置にある状態では先端面を蓋部１６の内側へ当っており、この待機位置から所定の作動ストロークＤ（図３参照）だけ後方へスライドすると作動位置に達する構成となっている。
【００３１】
さらに、スリーブ部材２２には、内部に軸方向へ貫通する空間であるプランジャ収納室２４が形成されている。また、スリーブ部材２２の外周面における軸方向中間部には、段差部２６が形成され、この段差部２６を介して先端側にスリーブ本体２８が形成されると共に、後端側にスプリング保持部３０が形成されている。
【００３２】
このスプリング保持部３０は、高さ方向（図４の矢印Ｈ方向）及び幅方向（図４の矢印Ｗ方向）に沿った寸法がスリーブ本体２８よりも小さくなっており、その外周側には略矩形状に屈曲された巻線部を有するコイルスプリング３２が設けられている。
【００３３】
また、スリーブ部材２２には、後端側の開口を閉止するように蓋部３４が形成されている。この蓋部３４の中央部には、軸方向へ貫通するロッドガイド穴３６が形成されている。さらに、スリーブ部材２２には、蓋部３４の下端部から軸方向に沿って後端側へ延出するスライドレバー３８が一体的に形成されている。このスライドレバー３８は、その下端面をケース部材１４におけるレバーガイド２０の上端面に摺動可能に当接させている。
【００３４】
一方、ケース部材１４の後端部には、コイルスプリング３２の後端を保持する断面矩形状の受部材４０の外周面が取り付けられており、受部材４０の内周面はスプリング保持部３０の外周面に摺動可能に当っている。この構成により、コイルスプリング３２がスリーブ部材２２の段差部２６と受部材４０との間に圧縮されて設けられており、コイルスプリング３２は、常にスリーブ部材２２を待機位置側に付勢するようになっている。
【００３５】
また、錠装置１０は、スリーブ部材２２のプランジャ収納室２４内に配置されるプランジャ部材４２を備えている。プランジャ部材４２は軸方向へ細長い略角柱状（図６参照）に形成されており、プランジャ部材４２には、先端側のプランジャ収納室２４内に挿入されるプランジャ本体４２Ａと、このプランジャ本体４２Ａの後端面から軸方向へ突出するプランジャロッド４２Ｂとが設けられている。
【００３６】
プランジャ本体４２Ａは、プランジャ収納室２４内に摺動可能に挿入されており、スリーブ部材２２を介してケース部材１４により所定の待機位置（図１（Ａ）参照）と作動位置（図３参照）との間で移動可能に支持されている。
【００３７】
プランジャ部材４２は、待機位置にある状態では先端面を蓋部１６の内側へ当接させており、この待機位置から所定の作動ストロークＤ（図２、図３参照）だけ後方へ移動すると作動位置に達する。なお、ストロークＤについては、詳細を後述する。
【００３８】
さらに、プランジャ部材４２のプランジャロッド４２Ｂの後端側は、スリーブ部材２２のロッドガイド穴３６を通してスリーブ部材２２の外側へ突出している。また、ロッドガイド穴３６から突出したプランジャロッド４２Ｂの下端面は、スライドレバー３８の上端面に軸方向に摺動可能に当接している。
【００３９】
さらに、プランジャ本体４２Ａの中心部には、軸方向に沿って設けられたキー穴４８が形成されており、キー穴４８は、その断面形状が錠装置１０の高さ方向に沿って細長い矩形状とされている。このキー穴４８の断面形状は、本実施形態に係る錠装置１０の規格に対応するキー１２の形状に対応するものになっており、このキー穴４８内にはキー１２が挿入及び抜去可能となっている。
【００４０】
図８に示されるように、キー１２におけるキー穴４８内に挿入される部分は、細長いプレート状に形成されており、例えば、金属、樹脂、紙、これらの複合材料等を素材として製造されている。また、キー１２には、先端部に基端側から先端側へ向って肉厚がスロープ状に薄くなる挿入ガイド部５０が形成されている。
【００４１】
さらに、キー１２は、長手直角方向に沿った一方及び他方の端面がそれぞれ上側係合端５２及び下側係合端５４とされている。キー１２は、ユーザーにより上側係合端５２が装置の高さ方向に沿って上側を向くような姿勢とされつつ、キー穴４８内へ挿入される。
【００４２】
また、キー１２の上側係合端５２と下側係合端５４には、キー１２の長手方向（装置の軸方向）に沿ってそれぞれ異なる６箇所の係合位置ＰＥ１〜ＰＥ６が設けられており、これらの係合位置ＰＥ１〜ＰＥ６には、それぞれ選択的にＶ字状に窪んだ上側被係合部５８及び下側被係合部６０が設けられる。
【００４３】
また、図１（Ａ）に示されるように、プランジャ本体４２Ａには、複数個（本実施形態では、６個）のタンブラ収納室１２０〜１３０がスリット状に形成されている。これらのタンブラ収納室１２０〜１３０は軸方向に沿って略等ピッチで配列されており、そのピッチがキー１２（図４参照）における６箇所の係合位置ＰＥ１〜ＰＥ６のピッチと実質的に等しくなっている。
【００４４】
さらに、各タンブラ収納室１２０〜１３０の上端部及ぶ下端部には、上端開口部４２Ｃ、及び下端開口部４２Ｄ（図４参照）が設けられ、各タンブラ収納室１２０〜１３０内には、タンブラプレート６６、６８が備えられている。ここで、タンブラプレート６６，６８の取付ピッチＰは、前述したプランジャ部材４２の待機位置から作動位置までのストロークＤの半分より大きく設定されている。なお、取付ピッチとストロークＤとの関係については、詳細を後述する。
【００４５】
また、図４（Ａ）に示されるように、先端部から偶数番目に配置されたタンブラ収納室１２２、１２６．１３０の内部には、それぞれタンブラプレート６６が高さ方向に沿って移動可能に配置されており、上端部には、プランジャ部材４２の上面の一方（図４（Ａ）に示す左側）から突出してスリーブ部材２２に設けられた係合凹部６２と係合する係合凸部６６Ａが設けられている。
【００４６】
さらに、下端部には、タンブラプレート６６が下方に移動した場合に、プランジャ部材４２の下面の他方（図４（Ａ）に示す右側）から突出してスリーブ部材２２に設けられた噛合凹部７４に係合する突起部６６Ｂが設けられている。また、タンブラプレート６６の中央部には、上下に伸びる矩形状のキー挿入孔６６Ｃが設けられており、キー挿入孔６６Ｃは、キー穴４８（図１（Ａ）参照）と連通するようになっている。
【００４７】
図４（Ｂ）に示されるように、先端部から奇数番目に配置されたタンブラ収納室１２０、１２４．１２８の内部には、それぞれタンブラプレート６８が高さ方向に沿って移動可能に配置されており、上端部には、プランジャ部材４２の上面の他方（図４（Ｂ）に示す右側）から突出してスリーブ部材２２に設けられた係合凹部６２と係合す係合凸部６８Ａが設けられており、下端部には、タンブラプレート６８が下方に移動した場合に、プランジャ部材４２の下面の一方（図４（Ｂ）に示す左側）から突出してスリーブ部材２２に設けられた噛合凹部７４と係合する突起部６６Ｂが設けられている。また、中央部には、上下に伸びる矩形状のキー挿入孔６８Ｃが設けられており、キー挿入孔６８Ｃは、キー穴４８（図１（Ａ）参照）と連通するようになっている。
【００４８】
さらに、各タンブラ収納室１２０〜１３０には、タンブラプレート６６、６８を上方に付勢するコイルスプリング７２が設けられており、キー穴４８（図１（Ａ）参照）にキー１２（図１（Ａ）参照）が挿入されない状態では、タンブラプレート６６、６８の上端に設けられた係合凸部６６Ａ、６８Ａは、コイルスプリング７２に付勢されてスリーブ部材２２の係合凹部６２と係合するようになっている。
【００４９】
この状態で、図６、図７に示されるように、係合凸部６６Ａと係合凸部６８Ａは、キーの厚さ方向に千鳥状に配置されるようになっている。つまり、図４（Ａ）（Ｂ）に示す係合凸部６６Ａ、６８Ａと係合凹部６２との係合位置４６もキーの厚さ方向に千鳥状に配置されるようになっている。なお、図６については、係合凸部６６Ａ、６８Ａの配置状態を分かり易くするため、スリーブ部材２２等を省略して記載している。
【００５０】
一方、図１（Ａ）に示されるように、錠装置１０では、待機位置にあるプランジャ部材４２のキー穴４８内へキー１２が挿入されると、このキー１２が各タンブラプレート６６、６８のキー挿入孔６６Ｃ、６８Ｃを挿通し、各タンブラプレート６６、６８におけるキー挿入孔６６Ｃ、６８Ｃの上側縁部又は下側縁部がキー１２の上側被係合部５８又は下側被係合部６０（図８参照）と係合し、タンブラプレート６６、６８がコイルスプリング７２の付勢力に対抗して高さ方向に移動するようになっている。
【００５１】
従って、錠装置１０では、キー穴４８内へキー１２が挿入されると、６枚のタンブラプレート６６、６８が高さ方向（摺動方向）に沿って、キー１２の上側被係合部５８及び下側被係合部６０と対応する位置へ移動するようになっている。ここで、錠装置１０には予め解錠のためのキーコードが付与されており、タンブラプレート６６の係合相手となる上側被係合部５８及び下側被係合部６０の形状（深さ）は、キーコードに応じてそれぞれ設定されている。
【００５２】
キー１２は、本実施形態に係る錠装置１０の規格に適合するものであれば、キー穴４８内へ挿入及び抜脱可能であるが、キー１２としては、タンブラプレート６６、６８の係合相手となる全ての上側被係合部５８及び下側被係合部６０の形状がキーコードに対応しているもの（以下、これを「正規キー１２Ｒ」という。）と、キーコードに対応していない正規キー１２Ｒと形状が一致しないもの（以下、これを「非正規キー１２Ｉ」という。）が存在する。
【００５３】
キー穴４８内に正規キー１２Ｒが挿入されると、６枚のタンブラプレート６６、６８が上側被係合部５８又は下側被係合部６０に対応する正規位置へ移動して、係合凸部６６Ａ、６８Ａと係合凹部６２の係合状態が解除されるようになっている。
【００５４】
つまり、全てのタンブラプレート６６、６８は、下方に移動して係合凸部６６Ａ、６８Ａが係合凹部６２から離間し、さらに、図５（Ｃ）（Ｄ）に示されるように、下方に移動し過ぎて、タンブラプレート６６，６８の突起部６６Ｂ、６８Ｂが、噛合凹部７４と係合しない、図５（Ａ）（Ｂ）に示す正規位置へ移動する。
【００５５】
このように、全てのタンブラプレート６６，６８が正規位置に移動すると、スリーブ部材２２とプランジャ部材４２との係合が解除され、正規キー１２Ｒを軸方向にさらに押すと、正規キー１２Ｒの先端部がプランジャ部材の底に形成された当壁４２Ｅを押して図２に示されるように、後述する係止バー１０８によってスリーブ部材２２が待機位置に拘束にされ、プランジャ部材４２だけが、スリーブ部材２２内を摺動して、作動位置に移動するようになっている。
【００５６】
また、図１（Ａ）に示すキー穴４８内に非正規キー１２Ｉが挿入されると、各タンブラプレート６６、６８がキー１２の上側被係合部５８及び下側被係合部６０（図８参照）に対応する位置へ移動し、少なくとも１枚のタンブラプレート６６、６８が非正規位置に移動して、係合凸部６６Ａ、６８Ａと係合凹部６２との係合状態が維持される、又は、突起部６６Ｂ、６８Ｂと噛合凹部７４が係合状態となるよう構成されている。
【００５７】
このように、少なくとも１枚のタンブラプレート６６，６８が非正規位置へ移動すると、スリーブ部材２２とプランジャ部材４２との係合状態が解除されず、非正規キー１２Ｉを軸方向にさらに押すと、図３に示されるように、後述する係止バー１０８が格納穴１０６に保持され、プランジャ部材４２はスリーブ部材２２と共にコイルスプリング３２の付勢力に対抗してケース部材１４内を摺動して作動位置に移動するようになっている。
【００５８】
一方、図１（Ａ）に示されるように、錠装置１０には、プランジャロッド４２Ｂの後端部に連結されると共に、スライドレバー３８の端部に連結された板状の作動レバー９２が設けられており、この作動レバー９２は、略Ｌ字状に屈曲している。
【００５９】
作動レバー９２の基端部（図１（Ａ）では、下端部）には、長手方向へ長いスロット状の連結穴９４が形成されている。また、スライドレバー３８には、装置の幅方向を軸方向とする円柱状の連結軸９６が設けられており、この連結軸９６は、作動レバー９２の連結穴９４内に挿入され、連結穴９４の長手方向に沿って移動可能となっている。これにより、作動レバー９２は、スライドレバー３８に揺動可能に連結されている。
【００６０】
また、プランジャロッド４２Ｂの後端部には、幅方向を軸方向とする円柱状の押圧軸９８が設けられており、この押圧軸９８は、Ｌ字状の作動レバー９２の角部を貫通し、作動レバー９２へ回動可能に連結されている。
【００６１】
さらに、作動レバー９２の先端は、押圧軸９８から後方へ延びて設けられており、作動レバー９２の先端部には、円筒状の軸受部材１１８が取り付けられている。また、この軸受部材１１８には、細長い丸棒状の連結ロッド１００のＬ字状に折り曲げられた上端部が回動可能に連結されている。さらに、この連結ロッド１００は、高さ方向に沿って延びて配置され、連結ロッド１００の下端部はロック装置（図示省略）に連結されている。
【００６２】
この構成により、作動レバー９２は、スライドレバー３８の連結軸９６を中心として所定の施錠位置（図１（Ａ）参照）と解錠位置（図２参照）との間を揺動可能に設けられている。
【００６３】
なお、図１（Ａ）に示されるように、スリーブ部材２２及びプランジャ部材４２が待機位置にある状態で、作動レバー９２が施錠位置に保持され、さらに、図２に示されるように、スリーブ部材２２が待機位置で、プランジャ部材４２だけが待機位置からストロークＤだけ移動して作動位置に移動した状態で、作動レバー９２が解除位置に揺動するように、連結軸９６及び押圧軸９８の位置がそれぞれ設定されている。
【００６４】
このように、作動レバー９２は、施錠位置から解錠位置へ揺動すると、連結ロッド１００を下方へ移動させ、連結ロッド１００を介してロック装置に押圧力（操作力）を伝達する。この操作力を受けたロック装置は施錠状態から解錠状態に変化し、ロック装置により施錠されていたドア、トランクリッド、グローブボックスの蓋体等の開閉部材を開放可能にする構成となっている。
【００６５】
一方、図３に示されるように、スリーブ部材２２及びプランジャ部材４２が一体となって待機位置から作動位置まで移動すると、押圧軸９８と連結軸９６との相対的な位置関係が変化しないことから、作動レバー９２が施錠位置に保たれる。従って、ロック装置は、施錠状態に維持されて解錠状態とならない。この状態で、ユーザーがキー１２（この場合、正規キー１２Ｒとは形状が異なるキー）への押圧を止めると、作動位置にあるスリーブ部材２２及びプランジャ部材４２が、コイルスプリング３２の付勢力により待機位置に復帰するようになっている。
【００６６】
また、図１（Ａ）に示されるように、プランジャ本体４２Ａの外周面における上端部及び下端部には、それぞれ凹状の内周係止穴１０２が形成され、さらに、ケース部材１４の内周面の上端部及び下端部には、それぞれ凹状の外周係止穴１０４が形成されている。この内周係止穴１０２は、タンブラプレート６６の後端側に配置されており、外周係止穴１０４は、プランジャ部材４２が待機位置にあるときに、装置の軸方向及び幅方向に沿って内周係止穴１０２と同一位置になるように配置されている。
【００６７】
さらに、スリーブ部材２２には、軸直角方向に沿って貫通するよう格納穴１０６が形成されており、この格納穴１０６は、スリーブ部材２２及びプランジャ部材４２が待機位置にある状態で、軸方向及び幅方向に沿って外周係止穴１０４及び内周係止穴１０２と同一位置になるように配置されている。また、外周係止穴１０４、内周係止穴１０２及び格納穴１０６は、軸方向に沿った断面形状が一致している。
【００６８】
さらに、格納穴１０６内には、略角柱状の係止バー１０８が軸直角方向に沿って摺動可能に格納され、また、外周係止穴１０４内には、付勢板１１０及びスプリング１１２が挿入されている。この係止バー１０８の外周側は、端面が軸方向と平行な平面とされ、係止バー１０８の先端面は、軸方向に沿った後端から先端へ向って外周側へ傾斜した平面状のカム面１１６とされている。
【００６９】
さらに、係止バー１０８は、スリーブ部材２２が待機位置にあると、後端面をプレート状の付勢板１１０に圧接させた状態で、後端部が外周係止穴１０４内へ挿脱可能となっており、また、スリーブ部材２２及びプランジャ部材４２が軸方向に沿って同一位置にあると、先端部を内周係止穴１０２内に挿脱可能に挿入して、内周係止穴１０２の底面部へ先端部を圧接させている。付勢板１１０は外周係止穴１０４内に摺動可能に挿入されており、スプリング１１２は、付勢板１１０と外周係止穴１０４の底面部との間に圧縮状態となるように配置されている。
【００７０】
キー穴４８に正規キー１２Ｒが挿入されて、プランジャ部材４２が待機位置から作動位置側へ移動開始すると、係止バー１０８のカム面１１６がプランジャ部材４２の外周面から軸直角方向に沿った分力（押圧力）を受けることにより、スプリング１１２の付勢力に対抗して係止バー１０８が外周側へ押し出される。これにより、図２に示されるように、係止バー１０８の後端部は外周係止穴１０４内に挿入される。このとき、係止バー１０８は、外周係止穴１０４と格納穴１０６との境界を跨ぐように配置されるので、スリーブ部材２２を待機位置に拘束する。また、作動位置側へ移動したプランジャ部材４２が待機位置に復帰すると、図１に示されるように、係止バー１０８は、スプリング１１２の付勢力により内周側へ移動し、先端部を内周係止穴１０２内へ挿入する。
【００７１】
また、キー穴４８に正規キー１２Ｒとは形状が異なる非正規キー１２Ｉが挿入されて、タンブラプレート６６、６８によりプランジャ部材４２がスリーブ部材２２に連結された状態では、図３に示されるように、係止バー１０８は、格納穴１０６及び内周係止穴１０２内に保持されつつ、スリーブ部材２２及びプランジャ部材４２と一体となって軸方向へ移動する。
【００７２】
次に、この構成による錠装置１０の作用について説明する。
【００７３】
ユーザーが図１（Ａ）に示すキー穴４８に正規キー１２Ｒとは形状が異なる非正規キー１２Ｉを挿入すると、タンブラプレート６６、６８は、非正規キー１２Ｉの上側被係合部５８及び下側被係合部６０に対応する位置へ移動して、少なくとも１個のタンブラプレート６６、６８の係合凸部６６Ａ、６８Ａと係合凹部６２との係合状態が維持される（図４参照）、又は、突起部６６Ｂ、６８Ｂが噛合凹部７４と係合状態（図５（Ｃ）（Ｄ）参照）となり、スリーブ部材２２とプランジャ部材４２との係合状態が維持される。
【００７４】
さらに、ユーザーが非正規キー１２Ｉを軸方向に押圧すると、図３に示されるように、プランジャ部材４２及びスリーブ部材２２が一体となって待機位置から作動位置側へストロークＤだけ移動する。
【００７５】
プランジャ部材４２及びスリーブ部材２２が一体となって作動位置に達しても、施錠位置にある作動レバー９２が揺動しないので、ロック装置の施錠状態が維持される。この後、ユーザーが非正規キー１２Ｉへの押圧を開放すると、コイルスプリング３２の付勢力によりプランジャ部材４２及びスリーブ部材２２が一体となって待機位置に復帰する。
【００７６】
一方、ユーザーが図１（Ａ）に示すキー穴４８に正規キー１２Ｒを挿入すると、タンブラプレート６６、６８は、正規キー１２Ｒの上側被係合部５８及び下側被係合部６０に対応する正規位置（図５（Ａ）（Ｂ）参照）へ移動して、スリーブ部材２２とプランジャ部材４２の係合状態が解除される。
【００７７】
さらに、ユーザーが正規キー１２Ｒを軸方向に押すと、図２に示されるように、カム面１１６が押し出された係止バー１０８によってスリーブ部材２２が待機位置に拘束された状態で、プランジャ部材４２だけが待機位置から作動位置へストロークＤだけ移動する。
【００７８】
プランジャ部材４２だけが作動位置に達すると、作動レバー９２が解錠位置まで揺動して連結ロッド１００を押し下げ、施錠状態にあったロック装置を解錠状態とする。これにより、ロック装置により施錠されていた開閉部材が解錠され、開閉部材が開放可能になる。
【００７９】
この後、正規キー１２Ｒをプランジャ部材４２から抜き取ろうとすると、正規キー１２Ｒに形成された上側被係合部５８及び下側被係合部６０とタンブラプレート６６，６８に設けられたキー挿入孔６６Ｃ、６８Ｃの係合状態が維持され、正規キー１２Ｒの抜き取り動作と一体となってプランジャ部材４２は待機位置に復帰する。
【００８０】
ここで、前述したように、タンブラプレート６６，６８の取付ピッチＰは、ストロークＤの半分より大きく設定されている。さらに、図４（Ａ）（Ｂ）、図６に示されるように、係合位置４６は、キーの厚さ方向に千鳥状に配置されている。
【００８１】
このため、図２に示されるプランジャ部材４２の作動位置で、ユーザーが正規キー１２Ｒをキー穴４８から抜き取って、タンブラプレート６６、６８がコイルスプリング７２（図４参照）の付勢力によって上方に付勢されても、係合凸部６６Ａ、６８Ａが、待機位置に配置された時に係合する係合凹部６２以外の他の係合凹部６２と係合しない。つまり、プランジャ部材４２の待機位置への復帰を阻害することはない。
【００８２】
すなわち、タンブラプレート６６，６８の取付ピッチＰがストロークＤの半分より大きく設定さているため、プランジャ部材４２を作動位置に移動させてもタンブラプレート６６，６８は、同一軸線上に配置される係合凹部６２に到達する前に停止するように構成されている。
【００８３】
係合位置４６がキーの厚さ方向にずれていない場合は、係合凸部６６Ａ、６８Ａと他の係合凹部６２とが係合してプランジャ部材４２の待機位置への復帰を阻害するのを防止するため、タンブラプレート６６，６８の取付ピッチＰをストロークＤより大きく設定しなければならない。そのため、所定のストロークＤを確保するため、錠装置１０を軸方向に長くしなければならない。
【００８４】
しかし、本実施形態のように、係合位置４６をキーの厚さ方向に千鳥状にすることで、タンブラプレート６６，６８の取付ピッチＰをストロークＤの半分より大きく設定すればよく、キー１２の種類を多様化するためタンブラプレート６６，６８を増やしてもプランジャ部材４２の長さが長くなるのを抑制することができる。
【００８５】
また、ユーザーがキー穴４８にキー１２を挿入し、このキー１２を装置の軸方向に沿って押圧することにより、キー１２が正規キー１２Ｒの場合には、ロック装置を解錠状態とし、又はキー１２が非正規キー１２Ｉである場合には、ロック装置を施錠状態のまま維持できるので、キーをキー挿入穴内へ挿入した後、キーを回転させることにより被操作装置に対する操作が行われる回転式の錠装置と比較し、ユーザーによるキー操作時にキー１２により回転トルクを伝達する必要がなく、キー１２には軸方向に沿った荷重のみが作用するので、キー１２に要求される捩り方向に沿った機械的な強度を十分に小さいものにできる。
【００８６】
また、機械的な強度を小さくできるため、キー１２を必ずしも鉄、ステンレス等の高強度の材料により製造する必要がなくなり、例えば、プラスチック、防水処理が施された紙、アルミ合金、マグネシウム合金等の従来の素材として使用が難しかった低強度の素材によりキー１２を製造でき、またキー１２の肉厚も従来のものと比較して大幅に薄くしても変形等の問題が生じることはない。
【００８７】
また、ドライバ等を含む非正規キー１２Ｉをキー穴４８へ挿入し、この非正規キー１２Ｉを作動位置側へ押圧しても、プランジャ部材４２及びスリーブ部材２２が一体となって待機位置から作動位置へ移動するだけで、ロック装置が解錠状態にならず、しかも、ケース部材１４、スリーブ部材２２及びプランジャ部材４２や、これらに配置されたタンブラプレート６６、６８等の構成部品に無理な力が作用しないので、これらの構成部品の破損を効果的に防止することができる。
【００８８】
次に、本発明の錠装置１０の第２実施形態を図９に従って説明する。
【００８９】
なお、第１実施形態と同一部材については、同一符号を付してその説明を省略する。図９に示されるように、この実施形態では第１実施形態とは違い、係合凸部６６Ａ、６８Ａがタンブラプレート６６、６８の上端に配置されるだけではなく、係合凸部８０Ａ、８２Ａがタンブラプレート８０、８２の下端にも配置されている。
【００９０】
詳細には、タンブラ収納室１２０、１２８の内部には、上端の一方に係合凸部６６Ａを備えたタンブラプレート６６（図４（Ａ）参照）配置されており、タンブラ収納室１２２、１３０の内部には、上端の他方に係合凸部６８Ａを備えたタンブラプレート６８（図４（Ｂ）参照）配置されており、タンブラ収納室１２４の内部には、下端の一方に係合凸部８０Ａを備えたタンブラプレート８０（図９（Ａ）参照）配置されており、タンブラ収納室１２６（図９（Ｂ）参照）の内部には、下端の他方に係合凸部８２Ａを備えたタンブラプレート８２配置されている。
【００９１】
このように、係合凸部８０Ａ、８２Ａと係合凹部６２から構成される係合位置４６をプランジャ部材４２の下方にも配置することで、キーコードを増やすことができる。
【図面の簡単な説明】
【００９２】
【図１】（Ａ）本発明の第１の実施形態に係る錠装置の構成を示す側面断面図である。（Ｂ）本発明の第１実施形態に係る錠装置を示し、連結ロッド及び作動レバー等を後方からみた背面図である。
【図２】本発明の第１の実施形態に係る錠装置の構成を示し、プランジャ部材だけが作動位置に移動した側面断面図である。
【図３】本発明の第１の実施形態に係る錠装置の構成を示し、プランジャ部材とスリーブ部材が作動位置に移動した側面断面図である。
【図４】（Ａ）（Ｂ）本発明の第１の実施形態に係る錠装置の構成を示し、タンブラプレートの平面上に錠装置を切断した断面図である。
【図５】（Ａ）（Ｂ）（Ｃ）（Ｄ）本発明の第１の実施形態に係る錠装置の構成を示し、タンブラプレートの平面上に錠装置を切断し、タンブラプレートが移動した状態を現した断面図である。
【図６】本発明の第１の実施形態に係る錠装置のプランジャ部材、タンブラプレート等を示した斜視図である。
【図７】本発明の第１の実施形態に係る錠装置のプランジャ部材、タンブラプレート等を示した平面図である
【図８】本発明の第１の実施形態に係る錠装置のキーを示した斜視図である
【図９】（Ａ）（Ｂ）本発明の第２の実施形態に係る錠装置の構成を示し、タンブラプレートの平面上に錠装置を切断した断面図である。
【符号の説明】
【００９３】
１０      錠装置
１２      キー
１２Ｒ    正規キー
１２Ｉ    非正規キー
１４      ケース部材
２２      スリーブ部材
４２      プランジャ部材
４２Ｅ    当壁
４６      係合位置
５８      上側被係合部（凹凸部）
６０      下側被係合部（凹凸部）
６２      係合凹部（凹部）
６６      タンブラプレート（タンブラ部材）
６６Ａ    係合凸部（凸部）
６６Ｂ    突起部（凸部）
６６Ｃ    キー挿入孔
６８      タンブラプレート（タンブラ部材）
６８Ａ    係合凸部（凸部）
６８Ｂ    突起部（凸部）
６８Ｃ    キー挿入孔
７２      コイルスプリング（付勢手段）
７４      噛合凹部（凹部）
８０      タンブラプレート（タンブラ部材）
８０Ａ    係合凸部（凸部）
８２      タンブラプレート（タンブラ部材）
８２Ａ    係合凸部（凸部）
９２      作動レバー（操作部材）
【図１】
2008248615.tif 000003
【図２】
2008248615.tif 000004
【図３】
2008248615.tif 000005
【図４】
2008248615.tif 000006
【図５】
2008248615.tif 000007
【図６】
2008248615.tif 000008
【図７】
2008248615.tif 000009
【図８】
2008248615.tif 000010
【図９】
2008248615.tif 000011